(57)【要約】【課題】他の室外機や建物の壁などに近接させて設置した場合でも、室外機の熱交換効率を向上できる室外機を提供する。【解決手段】上面側から内部の空気を上方へ吹き出すファン５を備えた筐体３内に、筐体３の少なくとも３つの側面１７ｂ、１７ｃ、１７ｄに沿って熱交換器９が設けられており、熱交換器９は、筐体３の上面側から見たとき、筐体３の側面１７ｂ、１７ｃに沿う部分の中央部が筐体３の外側方向に向けて張り出した形状に形成され、筐体３の側面１７ｂ、１７ｃと、側面１７ｂ、１７ｃに沿う熱交換器９の部分との間に、側面１７ｂ、１７ｃの中央部から両角部に向かうに連れて間隔が大きくなる空間１９ａ、１９ｂが形成され、空間１９ａを画成する３つの側面１７ａ、１７ｂ、１７ｃ、そして空間１９ｂを画成する３つの側面１７ａ、１７ｄ、１７ｃに、各々、空間１９ａ、１９ｂに連通する吸込口２６、２７が設けられた構成とする。【選択図】　　　　図１
2004125264.tif 000002
【特許請求の範囲】
【請求項１】
上面側から空気を上方へ吹き出すファンを備えた筐体内に、該筐体の少なくとも３つの側面に沿って熱交換器が設けられており、前記筐体の上面側から見たとき、前記筐体の少なくとも１つの側面と、該側面に沿う前記熱交換器の部分との間に、該側面の中央部から両角部に向かうに連れて間隔が大きくなる空間が形成され、少なくとも該空間を画成する３つの側面に、該空間に連通する吸込口が設けられた空気調和機の室外機。
【請求項２】
上面側から内部の空気を上方へ吹き出すファンを備えた筐体内に、該筐体の少なくとも３つの側面に沿って熱交換器が設けられており、前記熱交換器は、前記筐体の上面側から見たとき、前記筐体の少なくとも１つの側面に沿う部分の中央部が前記筐体の外側方向に向けて張り出した形状に形成され、少なくとも該筐体の外側方向に向かって張り出した形状に形成された熱交換器の部分が沿う側面と該側面に連なる２つの側面に吸込口が設けられた空気調和機の室外機。
【請求項３】
前記筐体の全ての側面に吸込口が設けられ、前記熱交換器の少なくとも一方の端部が、前記筐体の１つの側面の中央部または中央部寄りに位置しているとき、前記筐体は、前記熱交換器の端部が位置する側面に、上下方向に延在し、前記熱交換器の端部が連結された柱状部材を備えているとを特徴とする請求項１または２に記載の空気調和機の室外機。
【請求項４】
前記筐体の全ての側面に吸込口が設けられ、前記熱交換器の少なくとも一方の端部が、前記筐体の１つの側面の中央部または中央部寄りに位置しているとき、前記筐体は、該筐体の熱交換器の端部が位置する側面の該熱交換器の端部の位置と角部との間の部分に、横方向に延在する桟で仕切られた上下方向に並ぶ複数の空気の吸込口が形成された吸込口付きパネルを備えていることを特徴とする請求項１乃至３のいずれか１項に記載の空気調和機の室外機。
【請求項５】
前記熱交換器の少なくとも一方の端部が、該熱交換器の両端部が位置する前記筐体の１つの側面の中央部または中央部寄りに位置し、前記筐体は、前記熱交換器の少なくとも一方の端部と他方の端部が位置する側面の該熱交換器の両端部間に着脱可能な着脱パネルを備えていることを特徴とする請求項１乃至４のいずれか１項に記載の空気調和機の室外機。
【請求項６】
請求項１乃至５のいずれか１項に記載の室外機と、室内に設置された室内機と、前記室外機の熱交換器及び前記室内機の熱交換器を含む冷凍サイクルとを備えた空気調和機。
【発明の詳細な説明】
【０００１】
【発明の属する技術分野】
本発明は、空気調和機の室外機に係り、特に、筐体の上面側から筐体内の空気を上方へ吹き出すファンを備えた上吹き型室外機に関する。
【０００２】
【従来の技術】
筐体の上面側から筐体内の空気を上方へ吹き出すファンを備えた室外機、つまり上吹き型室外機では、筐体の上面側から見たとき、筐体の１つの側面と、この１つの側面に連なる両側面の中央部にかけて、これらの筐体の側面に平行に沿わせた略Ｕ字形状に形成した熱交換器が設置されている。そして、このような形状の熱交換器が沿っている筐体の側面の部分には、空気の吸込口が設けられている（例えば、特許文献１乃至３参照）。これにより、ファンが回転すると、筐体の吸込口から筐体内に熱交換器を通って空気が流入し、筐体内に流入した空気は、ファンによって筐体の上面側から上方へ排出され、筐体内の熱交換器において冷凍サイクルの冷媒と空気との熱交換が行われる。
【０００３】
【特許文献１】
特開平１０−１４８３６３号公報
【特許文献２】
特開平１０−２３８８１７号公報
【特許文献３】
特開平１０−２５３１００号公報
【発明が解決しようとする課題】
ところで、このような上吹き型室外機は、例えば複数の室内機と繋いだマルチタイプといった比較的大容量の空気調和機に採用されている。このため、上吹き型室外機は、複数台の室外機を隣接させて並べて設置する場合が比較的多い。このとき、室外機の設置場所は、例えばビルの屋上といった限れた広さの場所であるため、隣り合う室外機の隙間をできる限り小さくして設置し、室外機の設置に要する面積をできるだけ少なくしている。
【０００４】
また、室外機は、設置場所の制約から建物の壁などに近接した状態で設置しなければならない場合もある。したがって、上記のような上吹き型室外機を複数台並べて設置したり、建物の壁などに近接した状態で設置した場合、筐体の、隣り合う室外機の筐体や建物の壁などに面する側面に形成された吸込口が塞がれたような状態となり、この吸気口からは空気が流入し難くなる。このため、熱交換器の熱交換効率が低下してしまい、また、熱交換器の熱交換効率の低下は、省エネルギー性の低下に繋がり、空気調和機の省エネルギー性の向上に対する要求に反してしまう。
【０００５】
これに対して、筐体の上面側から見たとき、略Ｕ字形状に形成された熱交換器の２箇所の屈曲部において、熱交換器の筐体の側面に平行に沿った部分に対して直角方向よりも外側に拡がった状態になる角度に曲げた形状に形成した熱交換器を備えた上吹き型室外機が考えられている。これにより、筐体の熱交換器の端部が位置する側面の中央部から熱交換器が設けられている側の側面の角部に向かうに連れて、熱交換器の端部と屈曲部との間の部分と、この熱交換器の部分が沿っている筐体の側面との間隔が大きくなる空間が形成される。
【０００６】
このため、熱交換器の端部と屈曲部との間の部分が沿っている筐体の側面を、隣接する室外機の筐体の側面と対向させて設置したとき、隣接する室外機に面していない筐体の側面の空気の吸込口から、この空間に空気が流入し熱交換器の端部と屈曲部との間の部分を通る空気の流れができる。したがって、上吹き型室外機を複数台並べて設置したり、建物の壁などに近接した状態で設置した場合、筐体の、隣り合う室外機の筐体や建物の壁などに面する側面に形成された吸込口が塞がれたような状態となっても、この吸込口が塞がれたような状態となっている筐体の面側に沿う熱交換器の部分にも空気が通流し易くなり、熱交換器の熱交換効率の低下を抑制できる。
【０００７】
一方、空気調和機としての省エネルギー性を向上するため、室外機では熱交換効率を向上する必要がある。このため、室外機では、同じ大きさの筐体に対する熱交換器の搭載量をできるだけ多くする、つまり同じ大きさの筐体に対してできるだけ大きな熱交換器を搭載することが望まれる。そこで、同じ大きさの筐体に対してできるだけ熱交換器を大きくするため、筐体の上面側から見たときの熱交換器の長さを長くすることが考えられる。
【０００８】
上記のような従来考えられていたような上吹き型室外機、すなわち筐体の熱交換器の端部が位置する側面の中央部から熱交換器が設けられている側の側面の角部に向かうに連れて、熱交換器の端部と屈曲部との間の部分と、この熱交換器の部分が沿っている筐体の側面との間隔が大きくなる空間が形成された室外機では、熱交換器の長さ長くするため、熱交換器の屈曲部から端部にかけての部分の長さを、例えば熱交換器が設けられていない側の側面の角部にまで熱交換器の端部が達するように延長することになる。このとき、熱交換器の屈曲部から端部にかけての部分を延長する場合、流入する空気の量が低下しないように、熱交換器の端部と屈曲部との間の部分と、この熱交換器の部分が沿っている筐体の側面との間の空間の間隔が小さくならないようにする必要がある。つまり、熱交換器の端部と屈曲部との間の部分と、この熱交換器の部分が沿っている筐体の側面とのなす角度が小さくならないようにする必要がある。
【０００９】
したがって、従来考えられていたような上吹き型室外機では、熱交換器の屈曲部から端部にかけての部分を延長しても、屈曲部の角度が小さくならないようにすると、熱交換器の屈曲部間、つまり熱交換器の筐体の側面に平行に沿っている部分の長さが短くなる。このため、筐体の上面側から見たときの熱交換器全体の長さはほとんど変わらず、熱交換効率を向上することはできない。このように、従来考えられていたような室外機では、他の室外機や建物の壁などに近接させて設置したときに熱交換器の熱交換効率が低下するのを抑制することはできたが、熱交換効率は向上し難しい。
【００１０】
本発明の課題は、室外機を他の室外機や建物の壁などに近接させて設置した場合でも、室外機の熱交換効率を向上することにある。
【００１１】
【課題を解決するための手段】
本発明の空気調和機の室外機は、上面側から空気を上方へ吹き出すファンを備えた筐体内に、この筐体の少なくとも３つの側面に沿って熱交換器が設けられており、筐体の上面側から見たとき、筐体の少なくとも１つの側面と、この側面に沿う熱交換器の部分との間に、この側面の中央部から両角部に向かうに連れて間隔が大きくなる空間が形成され、少なくともこの空間を画成する３つの側面に、この空間に連通する吸込口が設けられた構成とすることにより上記課題を解決する。
【００１２】
また、本発明の空気調和機の室外機は、上面側に内側の空気を上方へ吹き出すファンを備えた筐体内に、この筐体の少なくとも３つの側面に沿って熱交換器が設けられており、熱交換器は、筐体の上面側から見たとき、筐体の少なくとも１つの側面に対向する部分の中央部が筐体の外側方向に向けて張り出した形状に形成され、少なくともこの筐体の外側方向に向かって張り出した形状に形成された熱交換器の部分が沿う側面とこの側面に連なる２つの側面に吸込口が設けられた構成とすることにより上記課題を解決する。
【００１３】
このような構成とすれば、筐体の少なくとも１つの側面に対向する熱交換器の部分とこの側面との間に、筐体の側面の中央部から両角部に向かうに連れて間隔が大きくなる空間があり、この空間を画成する３つの側面に、この空間に連通する吸込口が設けられているため、他の室外機や建物の壁などに近接させて設置され、ある側面の吸込口が塞がれたような状態となり、この吸込口から空気が流入し難くなっても、この空間に連通する他の側面の吸込口から、この空間に空気が流入する。このため、他の室外機や建物の壁などに面している筐体の側面に沿う熱交換器の部分にも、この空間を介して空気が通る。したがって、室外機を他の室外機や建物の壁などに近接させて設置した場合でも、熱交換効率の低下を抑制できる。
【００１４】
加えて、筐体の少なくとも１つの側面に対向する熱交換器の部分とこの側面との間に、筐体の側面の中央部から両角部に向かうに連れて間隔が大きくなる空間が形成される熱交換器の形状、つまり、熱交換器が筐体の少なくとも１つの側面に沿う部分の中央部が筐体の外側方向に向かって張り出した形状に形成されていることにより、筐体の上面側から見たとき、筐体の側面の平行に沿っている熱交換器の部分の長さを変えずに筐体の側面の中央部から両角部に向かうに連れて間隔が大きくなる空間を形成している熱交換器の部分の長さを延長できるため、熱交換効率を向上できる。すなわち、室外機を他の室外機や建物の壁などに近接させて設置した場合でも、室外機の熱交換効率を向上できる。
【００１５】
また、筐体の上面側から見たとき、筐体の外側方向に向かって張り出した形状に形成された熱交換器の部分が、熱交換器の少なくとも一方の端部に連なる部分である構成とする。これにより、筐体の上面側から見たとき、熱交換器がファンを囲んだ状態となり、筐体の各側面からファンに向かう空気の流れを均一化できるため、ファンで空気の流れが不均一な状態になることにより生じる室外機の騒音を低下できる。したがって、室外機を他の室外機や建物の壁などに近接させて設置した場合でも、室外機の熱交換効率を向上でき、かつ室外機を低騒音化できる。
【００１６】
さらに、筐体の全ての側面に吸込口が設けられ、熱交換器の少なくとも一方の端部が、筐体の１つの側面の中央部または中央部寄りに位置しているとき、筐体は、熱交換器の端部が位置する側面に、上下方向に延在し、熱交換器の端部が連結された柱状部材を備えている備えている構成とする。
【００１７】
従来の上吹き型室外機では、筐体の上面側から見たとき、筐体の１つの側面とこの側面の両側に連なる２つの側面の中央部にかけて熱交換器が設けられており、熱交換器が設けられていない１つの側面とこの側面の両側に連なる２つの側面の中央部までの部分は、吸い込み口などが形成されていないパネルが取り付けられており、このパネルが筐体に必要な強度を与えている。このため、筐体の全ての側面に吸込口が設けられている場合には、筐体の強度が低下してしまうことになる。これに対して、筐体が熱交換器の端部が位置する側面に、上下方向に延在し、熱交換器の端部が連結された柱状部材を備えることで、筐体の強度の低下を抑えることができる。
【００１８】
また、筐体の全ての側面に吸込口が設けられ、熱交換器の少なくとも一方の端部が、筐体の１つの側面の中央部または中央部寄りに位置しているとき、筐体は、この筐体の熱交換器の端部が位置する側面の、この熱交換器の端部の位置と角部との間の部分に、横方向に延在する桟で仕切られた上下方向に並ぶ複数の空気の吸込口が形成された吸込口付きパネルを備えている構成とすることでも筐体の強度の低下を抑えることができる。
【００１９】
さらに、熱交換器の少なくとも一方の端部が、この熱交換器の両端部が位置する筐体の１つの側面の中央部または中央部寄りに位置し、筐体は、熱交換器の両端部が位置する側面の、この熱交換器の両端部間部分に着脱可能な着脱パネルを備えている構成とする。このような構成とすれば、筐体内に熱交換器で取り囲まれた状態で設置されている圧縮機などの機器類のメンテナンス作業を容易にできる。
【００２０】
また、上記のいずれかの室外機と、室内に設置された室内機と、室外機の熱交換器及び室内機の熱交換器を含む冷凍サイクルとを備えた構成の空気調和機とすれば、室外機が他の室外機や建物の壁などに近接させて設置された場合でも、室外機の熱交換効率が向上することにより、省エネルギー性を向上できる。
【００２１】
【発明の実施の形態】
以下、本発明を適用してなる空気調和機の室外機及び空気調和機の一実施形態について図１乃至図５を参照して説明する。図１は、本発明を適用してなる空気調和機の室外機の概略構成を示す横断面図である。図２は、本発明を適用してなる空気調和機の室外機の正面側から見た内部の概略構成を示す図である。図３は、本発明を適用してなる空気調和機の室外機の概略構成を示す正面図である。図４は、本発明を適用してなる空気調和機の概略構成を示す図である。図５は、本発明を適用してなる空気調和機の室外機を複数並べて設置したときの空気の流れを説明する室外機の横断面図である。
【００２２】
なお、本実施形態では図１及び図５では、筐体の上面に設けられた吹出口部と熱交換器との位置関係を説明するため、これらの図では本来見ることができないプロペラファン、マウスリング、電気箱などを、便宜上、破線で示している。また、各図において、クロスフィンタイプの熱交換器を前提として図示しているが、熱交換器としては、クロスフィンタイプの熱交換器に限らず、プレートフィンタイプの熱交換器など様々なタイプの熱交換器を用いることができる。
【００２３】
本実施形態の空気調和機の室外機１は、図１及び図２に示すように、筐体３の上面側に筐体３内の空気を上方へ吹き出すプロペラファン５を含む吹出口部７が設けられており、筐体３内のプロペラファン５の下方に熱交換器９、圧縮機１１、アキュムレータ１３、電気箱１５などが納められたものである。熱交換器９は、図１に示すように、筐体３の上面側から見たとき、筐体３の４つの側面のうち、１つの側面つまり正面側の側面１７ａに両方の端部９ａ、９ｂが位置し、他の３つの側面つまり側方側の側面１７ｂ、背面側の側面１７ｃ、そしてもう一方の側方側の側面１７ｄに沿って設けられている。
【００２４】
つまり、熱交換器９は、筐体３の上面側から見たとき、背面側の側面１７ｃに平行に沿っている部分と、２つの側方側の側面１７ｂ、１７ｄに沿っている部分とを有している。熱交換器９の背面側の側面１７ｃに平行に沿っている部分と、２つの側方側の側面１７ｂ、１７ｄに沿っている部分とは、各々、屈曲部９ｃ、９ｄで曲げられて形成されている。屈曲部９ｃ、９ｄでは、熱交換器９の２つの側方側の側面１７ｂ、１７ｄに沿っている部分が、各々熱交換器９の背面側の側面１７ｃに平行に沿っている部分に対して直角な方向よりも外側に拡がった状態、つまり筐体３の外側方向に拡がった状態に曲げられている。
【００２５】
さらに、熱交換器９の、筐体３の２つの側方側の側面１７ｂ、１７ｄに沿っている部分は、この熱交換器９の２つの側方側の側面１７ｂ、１７ｄに沿っている部分の中央部の屈曲部９ｅ、９ｆで、各々、筐体３の内側方向に向けて曲げられている。屈曲部９ｅ、９ｆでは、熱交換器９の屈曲部９ｃ、９ｄと屈曲部９ｅ、９ｆとの間の部分と、側方側の側面１７ｂ、１７ｄとのなす角度、そして熱交換器９の屈曲部９ｅ、９ｆと端部９ａ、９ｂとの間の部分と、側方側の側面１７ｂ、１７ｄとのなす角度が、各々、ほぼ同じになるように曲げられている。これにより、熱交換器９の両方の端部９ａ、９ｂは、筐体３の正面側の側面１７ａの中央部寄りに対称に位置している。
【００２６】
このように熱交換器９は、筐体３の上面側から見たとき、２つの側方側の側面１７ｂ、１７ｄに沿っている部分が筐体３の外側方向に向けて張り出した形状に形成されている。そして、熱交換器９がこのような形状に形成されていることにより、側方側の側面１７ｂと、この側方側の側面１７ｂに沿う熱交換器９の部分との間隔が、この熱交換器９の部分の屈曲部９ｅが近接する側方側の側面１７ｂの中央部から両角部に向かうに連れて漸次大きくなる空間１９ａが形成されている。さらに、側方側の側面１７ｄと、この側方側の側面１７ｄに沿う熱交換器９の部分との間隔が、この熱交換器９の部分の屈曲部９ｆが近接する側方側の側面１７ｂの中央部から両角部に向かうに連れて漸次大きくなる空間１９ｂが形成されている。なお、熱交換器９は、図２に示すように、筐体３の高さ方向で見た場合、筐体３の底部２１と筐体３の上面側に設けられた吹出口部７との間に位置している。
【００２７】
筐体３は、図１及び図３に示すように、４つの角部に各々、上下方向に延在する支柱２３ａ、２３ｂ、２３ｃ、２３ｄを有している。また、筐体３は、熱交換器９の端部９ａ、９ｂに対応する位置に、各々、上下方向に延在する柱状部材２５ａ、２５ｂを有しており、熱交換器９の端部９ａ、９ｂは、各々、対応する位置に設けられた柱状部材２５ａ、２５ｂに連結されている。つまり、熱交換器９は、端部９ａ、９ｂが各々柱状部材２５ａ、２５ｂに連結されることにより、筐体３に固定されている。なお、支柱２３ａ、２３ｂ、２３ｃ、２３ｄ、そして柱状部材２５ａ、２５ｂは、必要な強度が得られればどのような断面形状のものでも用いることができるが、本実施形態ではＬ字形状の断面を有する鋼材を用いている。
【００２８】
筐体３の側方側の側面１７ｂの熱交換器９に対応する支柱２３ａと支柱２３ｂ間の部分、背面側の側面１７ｃの熱交換器９に対応する支柱２３ｂと支柱２３ｃ間の部分、そして側方側の側面１７ｄの熱交換器９に対応する支柱２３ｃと支柱２３ｄ間の部分には、パネルなどが設けられておらず、熱交換器９がむき出しの開放状態となっているか、または、できるだけ目が大きい格子状の網などが設けられている。これら側方側の側面１７ｂ、１７ｄ、及び背面側の側面１７ｃの開放状態または格子状の網などが設けられた部分が、空気を筐体３内に吸い込むための吸込口２６となっている。正面側の側面１７ａの熱交換器９に対応する支柱２３ａと柱状部材２５ａとの間の部分、そして支柱２３ｄと柱状部材２５ｂとの間の部分には、図３に示すように、各々、上下方向に並ぶ複数の吸込口２７が形成された吸込口付きパネル２９が設けられている。吸込口付きパネル２９に形成された複数の吸込口２７は、横方向に延在する桟３１によって仕切られている。桟３１の幅は、吸込口付きパネル２９に必要とされる強度に応じて決定している。
【００２９】
このように、本実施形態では、熱交換器９の端部９ａ、９ｂが連結された柱状部材２５ａ、２５ｂ、そして、横方向に延在する桟３１によって仕切られた上下方向に並ぶ複数の吸込口２７が形成された吸込口付きパネル２９を設けることにより、従来の上吹き型室外機のように、筐体の側面の約半分近くを覆って筐体に必要とされる強度を与えていたパネルが設けられないことによる筐体の強度の低下を抑えている。
【００３０】
正面側の側面１７ａの柱状部材２５ａと柱状部材２５ｂとの間には、図示していないネジなどの取り付け手段により柱状部材２５ａと柱状部材２５ｂに着脱可能に取り付けられている着脱パネル３３が設けられている。筐体３内には、図２に示すように、熱交換器９に囲まれた状態で、筐体３の底部２１上に圧縮機１１とアキュムレータ１３などが、圧縮機１１とアキュムレータ１３などの上方に電気箱１５が、そして電気箱１５の上方で熱交換器９の上縁部分に対応する高さにプロペラファン５を回転駆動するためのモータ３５が設けられている。したがって、メンテナンスの際は、着脱パネル３３を外すことで、筺体３内に設置されたこれらの機器類の保守点検を容易に行なうことができる。
【００３１】
筐体３の上面側に設けられた吹出口部７は、図２及び図３に示すように、吹出口部７となる筐体３の上部側面を囲う吹出口部パネル３７、吹出口部パネル３７内に設けられて空気の吹き出し流路を画成するリング状のマウスリング３９、マウスリング３９に囲われた状態で設置されたプロペラファン５、そして吹出口部パネル３７の上面開口に設けられた網状の部材からなるファンガード４１などで構成されている。なお、プロペラファン５は、図１に示すように、筐体３の上面の寸法に収まる範囲で極力大径のものが用いられており、筐体３の上面側から見たとき、プロペラファン５の周縁部は、一部で熱交換器９と重なっている。
【００３２】
このような構成の上吹き型室外機の動作と本発明の特徴部について説明する。なお、本実施形態の空気調和機は、図４に示すように、室外機１が有する熱交換器９や図４では図示していない圧縮機１１などを、室内機４３の図示していない熱交換器などと、冷媒が通流する配管４５で接続することにより構成した冷凍サイクルを有している。また、複数台の室外機１が、図４及び図５に示すように、隣り合う室外機１を構成する筐体３の側方側の側面１７ｂと、側方側の側面１７ｄとを向かい合わせた状態で設置される。
【００３３】
空気調和機が作動し、モータ３５によってプロペラファン５が回転すると、図５に示すように、空気が、吸込口２６、２７から熱交換器９を通って、筐体３内に流入する流れが発生する。筐体３内に流入して熱交換器９を通った空気、つまり熱交換器９内を通流する冷媒との間で熱交換を行なった空気は、プロペラファン５を通って筺体３の上方から外部に排出される。このとき、隣り合う室外機１の対向する筐体３の側面つまり側方側の側面１７ｂ、１７ｄに沿う熱交換器９の部分が、屈曲部９ｅ、９ｆで曲げられ、この熱交換器９の部分の中央部が筐体３の外側方向に向かって張り出した形状に形成されている。そして、熱交換器９がこのような形状に形成されていることにより、側方側の側面１７ｂ、１７ｄに沿う熱交換器９の部分と、側方側の側面１７ｂ、１７ｄとの間には、各々、側方側の側面１７ｂ、１７ｄの中央部から角部に在る支柱２３ａ、２３ｂに向かって間隔が大きくなる空間１９ａ、１９ｂが形成されている。
【００３４】
このため、空気は、近接する筐体３の側方側の側面１７ｂ、１７ｄの吸込口２６から筐体３内に流入し難くても、側方側の側面１７ｂ、１７ｄに連なり、空間１９ａ、１９ｂに連通する吸込口２７または吸込口２６を有する２つの側面、つまり正面側の側面１７ａと背面側の側面１７ｃ側から空間１９ａ、１９ｂに流入することができる。したがって、空間１９ａ、１９ｂに流入した空気が、隣り合う室外機１の対向する筐体３の側方側の側面１７ｂ、１７ｄに沿う熱交換器９の部分を通るため、隣り合う室外機１の対向する筐体３の側方側の側面１７ｂ、１７ｄに沿う熱交換器９の部分に空気が通流し易くなる。このように、複数台の室外機を連続的に並べて設置したことによって筐体３の側方側の側面１７ｂ、１７ｄの吸込口２６が塞がれたような状態になり、空気が流入し難くなっても、隣り合う室外機１の対向する筐体３の側方側の側面１７ｂ、１７ｄに沿う熱交換器９の部分に空気が通るため、熱交換効率が低下するのを抑制できる。
【００３５】
ここで、比較のために、従来考えられていた室外機の構成を示す。従来考えられていた室外機４７は、図６に示すように、筐体３の上面側から見たとき、熱交換器４９が略Ｕ字形状に形成されている。熱交換器４９の端部４９ａ、４９ｂは、隣り合う室外機４７の対向する筐体３の側方側の側面１７ｂ、１７ｄの中央部に位置しており、端部４９ａ、４９ｂに連なり、側方側の側面１７ｂ、１７ｄに対向する熱交換器４９の部分は、背面側の側面１７ｃに平行に沿っている部分に対して直角な方向よりも外側に拡がった状態に屈曲部４９ｃ、４９ｄで曲げられている。吸込口２６は、側方側の側面１７ｂ、１７ｄの熱交換器４９の端部４９ａ、４９ｂの位置から背面側の側面１７ｃ側に位置する支柱２３ｂ、２３ｃにかけての部分と、背面側の側面１７ｃとにのみ設けられている。側方側の側面１７ｂ、１７ｄの熱交換器４９の端部４９ａ、４９ｂの位置から正面側の側面１７ａ側の角部にかけての部分、そして正面側の側面１７ａには、吸込口などが形成されていないパネル５１が取り付けられている。このような室外機４７でも、背面側の側面１７ｃ側から空気が流入することにより、隣り合う室外機４７の対向する筐体３の側方側の側面１７ｂ、１７ｄに対向する熱交換器４９の部分に空気が通流し、複数台の室外機を連続的に並べて設置したときに熱交換効率が低下するのを抑制できる。
【００３６】
ところで、同じ大きさの筐体内に対して熱交換器の搭載量を多くする場合、つまり同じ大きさの筐体内に対して熱交換器をできるだけ大きくする場合、筐体３の上面側から見たときの熱交換器の全長を長くすることになる。これに対して、従来考えられていた室外機４７では、熱交換器４９の端部４９ａ、４９ｂを、例えば正面側の側面１７ａの両角部にまで延長する、つまり熱交換器４９の屈曲部４９ｃ、４９ｄから端部４９ａ、４９ｂにかけての部分の長さを長くすることになる。
【００３７】
ところが、従来考えられていた室外機４７では、熱交換器４９の屈曲部４９ｃ、４９ｄから端部４９ａ、４９ｂにかけての部分の長さを長くする場合、複数台の室外機を連続的に並べて設置しても熱交換効率の低下を抑制できるように、熱交換器４９の屈曲部４９ｃ、４９ｄから端部４９ａ、４９ｂにかけての部分への空気の通流状態を変えないようにする必要がある。このためには、熱交換器４９の屈曲部４９ｃ、４９ｄから端部４９ａ、４９ｂにかけての部分と側方側の側面１７ｂ、１７ｄとのなす角度θが小さくならないようにする必要がある。そして、角度θが小さくならないように熱交換器４９の屈曲部４９ｃ、４９ｄから端部４９ａ、４９ｂにかけての部分の長さを長くすると、熱交換器４９の背面側の側面１７ｃに平行に沿う部分の長さが短くなることになる。この結果、筐体３の上面側から見た熱交換器４９の全体の長さは、ほとんど変わらないことになり、熱交換効率を向上することはできない。
【００３８】
一方、本実施形態の室外機１では、図５に示すように、筐体３の上面側から見たとき、側方側の側面１７ｂ、１７ｄに対向する熱交換器９の部分、つまり熱交換器９の端部９ａ、９ｂから屈曲部９ｃ、９ｄにかけての部分が屈曲部９ｅ、９ｆで曲げられ、この熱交換器９の部分の中央部が筐体３の外側方向に向かって張り出した形状に形成され、熱交換器９の端部９ａ、９ｂが正面側の側面１７ａの中央部寄りに位置している。このため、本実施形態の室外機１では、熱交換器９の屈曲部９ｃ、９ｄから端部９ａ、９ｂにかけての部分と側方側の側面１７ｂ、１７ｃとのなす角度を変えずに、従来考えられていた室外機４７よりも熱交換器９の屈曲部９ｃ、９ｄから端部９ａ、９ｂにかけての部分の長さを長くできる。つまり、背面側の側面１７ｃに平行に沿う熱交換器９の屈曲部９ｃと屈曲部９ｄとの間の部分の長さを短くすることなく、熱交換器９の屈曲部９ｃ、９ｄから端部９ａ、９ｂにかけての部分への空気の通流状態を変えずに、筐体３の上面側から見たときの熱交換器全体の長さを延長できる。したがって、同じ筐体に対してより大きな熱交換器を搭載できるため、熱交換効率を向上できる。
【００３９】
このように本実施形態の室外機１では、筐体３の上面側から見たとき、側方側の側面１７ｂ、１７ｄに対向する熱交換器９の部分の中央部が筐体３の外側方向に向かって張り出した形状に曲げられている。これにより、側方側の側面１７ｂ、１７ｄと側方側の側面１７ｂ、１７ｄに対向する熱交換器９の部分との間に、側方側の側面１７ｂ、１７ｃの中央部から両角部に向かうに連れて間隔が大きくなる空間１９ａ、１９ｂが形成されている。空気は、隣り合う室外機１と面していない筐体３の正面側の側壁１７ａに設けられたパネル吸込口２７と背面側の側面１７ｃの吸込口２６とから空間１９ａ、１９ｂに流入し、空間１９ａ、１９ｂを介して、隣り合う室外機１と面する筐体３の側方側の側面１７ｂ、１７ｄに沿っている熱交換器９の部分を通る。このため、他の室外機や建物の壁などに近接させて設置され、ある側面の吸込口が塞がれたような状態となり、この吸込口から空気が流入し難くなっても、熱交換効率の低下を抑制できる。
【００４０】
加えて、筐体３の上面側から見たとき、側方側の側面１７ｂ、１７ｄと側方側の側面１７ｂ、１７ｄに対向する熱交換器９の部分との間に、側方側の側面１７ｂ、１７ｃの中央部から両角部に向かうに連れて間隔が大きくなる空間１９ａ、１９ｂを形成するため、側方側の側面１７ｂ、１７ｄに沿う熱交換器９の部分の中央部が筐体３の外側方向に向かって張り出した形状に形成されている。これにより、筐体３の上面側から見たときの熱交換器全体の長さを延長し、同じ筐体に対してより大きな熱交換器を搭載でき、室外機の熱交換効率を向上できる。すなわち、室外機を他の室外機や建物の壁などに近接させて設置した場合でも、室外機の熱交換効率を向上できる。
【００４１】
さらに、室外機の熱交換効率を向上できることにより、空気調和機としての省エネルギー性を向上できる。さらに、室外機を隣り合う室外機や、建物の壁などとより近接させて設置することが可能となるため、室外機の設置スペースへの制約が軽減される。
【００４２】
ところで、空気調和機の室外機の低騒音化に対する要求に応えるための一方法として、できるだけ大径のプロペラファンを低速で回転させる方法がある。しかし、室外機の筐体寸法は、設置面積をできるだけ小さくするため、あまり大きくできない。したがって、プロペラファンは、筐体の上面の大きさ一杯に、できるだけ大きなものを設けることとなり、プロペラファンの周縁部と、筐体の側面との間隔が小さくなるか、または重なってしまう。このような場合、プロペラファンに流入する空気の流れが不均一であると、空気の流速が他の部分よりも速い部分ができることにより、その部分でのプロペラファンと空気と衝突による騒音や、プロペラファンの回転時のがたつきなどが発生し、大径のプロペラファンを用いることによる低騒音化の効果が得られ難くなるばかりか、プロペラファンの回転による騒音が増大してしまうという問題が生じる場合もある。
【００４３】
例えば、従来考えらていた室外機４７では、図６に示すように、側方側の側面１７ｂ、１７ｄの熱交換器４９の端部４９ａ、４９ｂの位置から正面側の側面１７ａ側の角部にかけての部分、そして正面側の側面１７ａには、吸込口が形成されていないパネル５１が取り付けられている。このため、パネル５１が取り付けられている部分からは空気が流入しないので、プロペラファン５に流入する空気の流れに偏りが生じ、大径のプロペラファンを用いることによる低騒音化の効果が得られ難いばかりか、プロペラファン５の回転による騒音が増大してしまう場合もある。
【００４４】
これに対して、本実施形態の室外機１では、図５に示すように、熱交換器９は、筐体３の上面側から見たとき、筐体３の側方側の側面１７ｂ、１７ｄと背面側の側面１７ｃの３面に加えて、正面側の側面１７ａ側にも回り込んだ状態となっており、熱交換器９がプロペラファン５を囲んだ状態になっている。このため、正面側から全く空気が流入しない場合に比べて、プロペラファン５に流入する空気の流れを均一化できる。さらに、プロペラファン５を囲んだ状態の熱交換器９全体を空気が通過することにより、熱交換器９を通過する際の通風抵抗を小さくでき、同一風量を達成するためのファン回転数を低減できる。このように、空気の流れが均一化すること、同一風量を達成するためのファン回転数を低減できることなどから、室外機を低騒音化できる。この室外機を低騒音化できる効果は、室外機１を単独で設置した場合にも得られ、また、複数台の室外機を並べて設置した場合や建物の壁面などに室外機を近接させて設置した場合でも得られる。
【００４５】
また、従来考えらていた室外機４７では、図６に示すように、熱交換器４９の屈曲部４９ｃ、４９ｄから端部４９ａ、４９ｂにかけての部分への空気の通流状態を保って、熱交換器４９の屈曲部４９ｃ、４９ｄから端部４９ａ、４９ｂにかけての部分の長さを長くすると、熱交換器４９の背面側の側面１７ｃに対向する部分の長さが短くなることになる。これにより、筺体３内部の使用可能な空間が減ってしまい、圧縮機１１などの機器類を配置する際に障害となる場合がある。
【００４６】
これに対して、本実施形態の室外機１では、図５に示すように、筐体３の上面側から見たとき、熱交換器９がプロペラファン５を囲んだ状態になっているため、筺体３内部の使用可能な空間が減ることはなく、圧縮機１１などの機器類も配置し易い。
【００４７】
さらに、従来考えらていた室外機４７では、図６に示すように、筐体３の、側方側の側面１７ｂ、１７ｄの熱交換器４９の端部４９ａ、４９ｂの位置から正面側の側面１７ａ側の角部にかけての部分、そして正面側の側面１７ａには、吸込口が形成されていないパネル５１が取り付けられている。そして、このようなパネル５１が取り付けられていることにより、筐体に必要な強度を与え、筐体の変形などを防止している。ところが、本実施形態の室外機１では、図１に示すように、正面側の側面１７ａの、熱交換器９の端部９ａの位置と角部に在る支柱２３ａとの間の部分、そして熱交換器９の端部９ｂの位置と角部に在る支柱２３ｄとの間の部分は、吸込口２７が形成された吸込口付きパネル２９となっており、また、熱交換器９の端部９ａの位置と端部９ｂの位置との間の部分は、着脱可能な着脱パネル３３となっている。このため、メンテナンスなどにより着脱パネル３３を外したときなどに、筐体の強度が低下してしまい、場合によっては筐体が変形してしまうといった恐れがある。
【００４８】
しかし、本実施形態の室外機１では、正面側の側面１７ａの、熱交換器９の端部９ａの位置と端部９ｂの位置とに、上下方向に延在する柱状部材２５ａ、２５ｂが設けられているため、着脱パネル３３を外しても筐体３の強度が低下することはない。また、筐体の変形や歪みなども防止できる。
【００４９】
さらに、吸込口付きパネル２９は、図３に示すように、複数の横方向に延在する桟３１で仕切られた上下方向に並ぶ吸込口２７を有する構造としている。このように、縦長の吸込口付きパネル２９に、横方向に延在する桟３１を設けることによって、熱交換器９に流入する空気の流れを阻害しないようにできるだけ開口率を大きくしながら、十分な強度を確保できる。したがって、吸込口付きパネル２９によっても、筐体３の強度の低下を抑えることができる。加えて、吸込口付きパネル２９は、例えばメンテナンスなどのために着脱パネル３３を開けて作業する際に、誤って熱交換器９を傷つけることを防ぐ役割も果たす。また、吸込口付きパネル２９は、正面側の側面１７ａで熱交換器９が見えないように隠す役割も果たし、意匠上の効果も有している。
【００５０】
ただし、筐体３の強度を吸込口付きパネル２９がなくても必要な強度に保てる場合には、吸込口付きパネル２９を設けずに、正面側の側面１７ａの吸込口付きパネル２９が設けられた部分を熱交換器９が正面側から剥き出しの状態や、できるだけ大きな目の格子状の網などが設けられた構成にすることもできる。同様に、筐体３の強度を柱状部材２５ａ、２５ｂがなくても必要な強度に保てる場合には、柱状部材２５ａ、２５ｂを設けていない構成にすることもできるできる。
【００５１】
（第２の実施形態）
以下、本発明を適用してなる室外機の第２の実施形態について図７を参照して説明する。図７は、本発明を適用してなる空気調和機の室外機の概略構成と動作を示す横断面図である。なお、本実施形態では、第１の実施形態と同一の構成及び動作などには同じ符号を付して説明を省略し、第１の実施形態と相違する構成、動作及び特徴部などについて説明する。
【００５２】
本実施形態の室外機が第１の実施形態と相違する点は、熱交換器の形状にある。すなわち、本実施形態の室外機５３では、図７に示すように、熱交換器５５は、筐体３の上面側から見たとき、一方の端部５５ａが正面側の側面１７ａの中央部寄りに位置し、また、他方の端部５５ｂが正面側の側面１７ａの、側方側の側面１７ｄ側の角部に在る支柱２３ｄに位置している。そして、熱交換器５５は、筐体３の上面側から見たとき、背面側の側面１７ｃに平行に沿う部分に対して２つの側方側の側面１７ｂ、１７ｄに沿う部分が、各々屈曲部５５ｃ、５５ｄで曲げられた状態となっている。屈曲部５５ｃでは、熱交換器５５の側方側の側面１７ｂに沿う部分が、熱交換器５５の背面側の側面１７ｃに平行に沿う部分に対して直角な方向よりも外側に拡がった状態、つまり筐体３の外側方向に拡がった状態に曲げられている。
【００５３】
さらに、屈曲部５５ｃで曲げられた熱交換器５５の筐体３の側方側の側面１７ｂに沿う部分は、この熱交換器９の側方側の側面１７ｂに沿う部分の中央部の屈曲部５５ｅで、筐体３の内側方向に向けて曲げられている。屈曲部５５ｅでは、熱交換器５５の屈曲部５５ｃと屈曲部５５ｅとの間の部分と、側方側の側面１７ｂとのなす角度、そして熱交換器９の屈曲部５５ｅと端部５５ａとの間の部分と、側方側の側面１７ｂとのなす角度が、ほぼ同じになるように曲げられている。
【００５４】
一方、屈曲部５５ｄでは、熱交換器５５の側方側の側面１７ｄに沿う部分が、熱交換器５５の背面側の側面１７ｃに沿う部分に対して直角に曲げられている。したがって、屈曲部５５ｄで曲げられた熱交換器５５の側方側の側面１７ｄに沿う部分は、側方側の側面１７ｄに平行に沿っており、正面側の側面１７ａと側方側の側面１７ｂとの間の角部に在る支柱２３ｄの位置まで直線状に延在している。
【００５５】
したがって、本実施形態では、筐体３の２つの側方側の側面１７ｂ、１７ｄのうちの一方である側方側の側面１７ｂに沿う熱交換器５５の部分、つまり熱交換器５５の屈曲部５５ｃと端部５５ａとの間の部分のみが、中央部が筐体３の外側方向に向かって張り出した形状に曲げられている。そして、側方側の側面１７ｂ側にのみ、この側方側の側面１７ｂに沿う熱交換器５５の部分と側方側の側面１７ｂとの間隔が熱交換器５５の屈曲部５５ｅに対応する側方側の側面１７ｂの中央部から両角部に向かうに連れて漸次大きくなる空間１９ａが形成されている。また、正面側の側面１７ａの、熱交換器５５の端部５５ａが位置する柱状部材２５ａと、側方側の側面１７ｄ側の角部に在る支柱２３ｄとの間の部分には、着脱可能な着脱パネル５７が取り付けられている。このため、正面側の側面１７ａの吸込口パネル２９は、正面側の側面１７ａの柱状部材２５ａと側方側の側面１７ｂ側の角部に在る支柱２３ａとの間の部分にのみ設けられていることになる。
【００５６】
このような本実施形態の室外機５３は、中央部が筐体３の外側方向に向かって張り出した形状に曲げられている熱交換器５５の部分が沿っている側方側の側壁１７ｂが、隣り合う室外機５３の側方側の側壁１７ｂと反対側の側方側の側壁１７ｄに面した状態で設置される。そして、空気調和機が作動し、モータ３５によってプロペラファン５が回転すると、図７に示すように、吸込口２６、２７から熱交換器５５を通って、筐体３内に流入する空気の流れが発生する。筐体３内に流入して熱交換器５５を通った空気、つまり熱交換器５５内を通流する冷媒との間で熱交換を行なった空気は、プロペラファン５を通って筺体３の上方から外部に排出される。
【００５７】
このとき、隣り合う室外機５３の対向する筐体３の側面つまり側方側の側面１７ｂに沿う熱交換器５５の部分と、この側方側の側面１７ｂとの間には、正面側の側面１７ａと背面側の側面１７ｃとに設けられた吸込口２７、２６に連通し、この正面側の側面１７ａと背面側の側面１７ｃとに設けられた吸込口２７、２６に連通する部分で間隔が最大になる空間１９ａが形成されている。このため、空気は、正面側の側面１７ａの吸込口２７と背面側の側面１７ｃの吸込口２６から空間１９ａに流入し、空間１９ａに流入した空気の一部は、この空間１９ａが形成されている室外機５３の側方側の側面１７ｂに沿う熱交換器５５の部分を通る。さらに、空間１９ａに流入した空気の残りは、空間１９ａに面する側方側の側面１７ｂの吸込口２６から流れ出し、隣り合う室外機５３の側方側の側面１７ｄの吸込口２６からこの隣り合う室外機５３に流入し、隣り合う室外機５３の側方側の側面１７ｄに平行に沿う熱交換器５５の部分を通過する。
【００５８】
したがって、本実施形態の室外機５３でも、第１の実施形態の室外機と同様に、隣り合う室外機５３の対向する筐体３の側面、つまり側方側の側面１７ｂ、１７ｄに沿っている熱交換器５５の部分にも空気が通流し易くなるため、複数台を並べて設置した場合や建物の壁面などに近接させて設置したことによって空気が流入し難くなり、熱交換効率が低下するのを抑制できる。加えて、筐体３の上面側から見たときの熱交換器５５の全長を長くでき、熱交換効率を向上できる。すなわち、室外機を他の室外機や建物の壁などに近接させて設置した場合でも、室外機の熱交換効率を向上できる。
【００５９】
加えて、筐体３の上面側から見たとき、熱交換器５５は、プロペラファン５を取り囲む形となっているため、室外機を低騒音化できる。さらに、第１の実施例に比べて熱交換器５５の曲げ加工を行う箇所が減るため、熱交換器、さらに室外機製造のコストを低減できる。
【００６０】
（第３の実施形態）
以下、本発明を適用してなる室外機の第３の実施形態について図８を参照して説明する。図８は、本発明を適用してなる空気調和機の室外機の概略構成と動作を示す横断面図である。なお、本実施形態では、第１及び第２の実施形態と同一の構成及び動作などには同じ符号を付して説明を省略し、第１及び第２の実施形態と相違する構成、動作及び特徴部などについて説明する。
【００６１】
本実施形態の室外機が第１及び第２の実施形態と相違する点は、熱交換器の形状にある。すなわち、本実施形態の室外機５９では、図８に示すように、熱交換器６１は、筐体３の上面側から見たとき、一方の端部６１ａが、正面側の側面１７ａの中央部の、正面側の側面１７ａと側方側の側面１７ｂとの角部寄りに位置し、また、他方の端部６１ｂが、正面側の側面１７ａの中央部の、正面側の側面１７ａと側方側の側面１７ｄとの角部寄りに位置している。そして、熱交換器６１は、筐体３の上面側から見たとき、背面側の側面１７ｃに沿う部分に対して２つの側方側の側面１７ｂ、１７ｄに沿う部分とが、各々屈曲部６１ｃ、６１ｄで曲げられた状態となっている。
【００６２】
熱交換器６１の側方側の側面１７ｂに沿う部分と、側方側の側面１７ｄに沿う部分とは、各々、側方側の側面１７ｂ、１７ｃに平行に沿って直線状に正面側の側面１７ａ側の角部まで延在している。熱交換器６１の背面側の側面１７ｃに沿う部分は、屈曲部６１ｃ、６１ｄで、各々、側方側の側面１７ｄに平行に沿う部分に対して直角な方向よりも筐体３の外側方向に向かって拡がった状態にほぼ同じ角度で曲げられている。このため、熱交換器６１の背面側の側面１７ｃに沿う部分は、中央部に位置する屈曲部６１ｅで筐体３の外側方向に向けて張り出した形状に曲げられている。
【００６３】
したがって、本実施形態では、筐体３の背面側の側面ｃに沿う熱交換器６１の部分、つまり熱交換器６１の屈曲部６１ｃと屈曲部６１ｄとの間の部分のみが、中央部が筐体３の外側方向に向かって張り出した形状に形成されている。そして、背面側の側面１７ｃに沿う熱交換器６１の部分と背面側の側面１７ｃとの間隔が、背面側の側面１７ｃの中央部から両角部に向かうに連れて漸次大きくなる空間６３が形成されている。また、正面側の側面１７ａと、２つの側方側の側面１７ｂ、１７ｄの熱交換器６１の端部６１ａ、６１ｂの位置から正面側の側面１７ａにかけての部分とには、吸込口などが形成されていないパネル６５が取り付けられている。
【００６４】
このような本実施形態の室外機５９は、隣り合う室外機５９と、中央部が筐体３の外側方向に向かって張り出した形状に曲げられている熱交換器６１の部分が沿っている背面側の側壁１７ｃ同士を対向させた状態で設置される。そして、空気調和機が作動し、モータ３５によってプロペラファン５が回転すると、図８に示すように、吸込口２６から熱交換器６１を通って、筐体３内に流入する空気の流れが発生する。筐体３内に流入して熱交換器６１を通った空気、つまり熱交換器６１内を通流する冷媒との間で熱交換を行なった空気は、プロペラファン５を通って筺体３の上方から外部に排出される。
【００６５】
このとき、隣り合う室外機５９の対向する筐体３の側面つまり背面側の側面１７ｃに沿う熱交換器６１の部分と、この背面側の側面１７ｃとの間には、２つの側方側の側面１７ｂ、１７ｄの吸込口２６に連通し、この２つの側方側の側面１７ｂ、１７ｄの吸込口２６に連通する部分で間隔が最大になる空間６３が形成されている。このため、空気は、側方側の側面１７ｂ、１７ｄの吸込口２６から空間６３に流入し、空間６３を介して、隣り合う室外機５９の筐体３と面する側面、つまり背面側の側面１７ｃに沿っている熱交換器６１の部分である熱交換器６１の屈曲部６１ｃと屈曲部６１ｄとの間の部分を通る。
【００６６】
したがって、本実施形態の室外機５９でも、第１及び第２の実施形態の室外機と同様に、隣り合う室外機５９の対向する筐体３の側面、つまり背面側の側面１７ｃに沿っている熱交換器６１の部分にも空気が通流し易くなるため、複数台を並べて設置した場合や建物の壁面などに近接させて設置したことによって空気が流入し難くなり、熱交換効率が低下するのを抑制できる。加えて、熱交換器６１の屈曲部６１ｃと端部６１ａとの間の部分、そして屈曲部６１ｄと端部６１ｂとの間の部分を延長すれば、筐体３の上面側から見たときの熱交換器６１の全長を長くでき、熱交換効率を向上できる。すなわち、室外機を他の室外機や建物の壁などに近接させて設置した場合でも、室外機の熱交換効率を向上できる。
【００６７】
また、第１乃至第３の実施形態では、筐体３の上面側から見たとき、筐体３の側方側の側面１７ｂ、１７ｄ、または背面側の側面１７ｃに沿っている熱交換器９、５５、６１の部分を屈曲部９ｅ、９ｆ、５５ｅ、６１ｅで曲げて、これらの熱交換器９、５５、６１の部分の中央部が筐体３の外側方向に向かって張り出した形状としている。しかし、筐体の上面側から見たとき、筐体の少なくとも１つの側方側の側面、または背面側の側面に沿っている熱交換器の部分の中央部が筐体の外側方向に向かって張り出した形状であり、これらの熱交換器の部分と、筐体の少なくとも１つの側方側の側面や、背面側の側面などとの間に、これらの筐体の側面の中央部から角部にかけて間隔が大きくなる空間が形成されれば、本発明の効果を得ることができる。
【００６８】
したがって、第１乃至第３の実施形態のように、筐体の少なくとも１つの側方側の側面、または背面側の側面に沿っている熱交換器の部分を屈曲部で曲げた形状にせずに、これらの熱交換器の部分が全体を円弧状に形成することなどにより、これらの熱交換器の部分の中央部が筐体の外側方向に向かって張り出した形状にすることができる。
【００６９】
また、第１乃至第３の実施形態では、筐体３の上面側から見たとき、熱交換器９、５５、６１の部分を筐体３の側方側の側面１７ｂ、１７ｄ、背面側の側面１７ｃ、さらに正面側の側面１７ａの一部に沿わせて設置し、正面側の側面１７ａ全体にわたって熱交換器９、５５、６１が設置されていないことで、熱交換器９、５５、６１に囲まれた状態で設置された圧縮機などの機器類のメンテナンスが行えるようにしている。しかし、圧縮機などを設置した機械室を、独立して熱交換器が設置される筐体内の空間の下方に設けた場合などには、熱交換器が側方側の側面１７ｂ、１７ｄ、背面側の側面１７ｃに加えて、正面側の側面１７ａのほぼ全体に沿って設けられた構成にすることもできる。
【００７０】
また、第１乃至第３の実施形態では、プロペラファン５が１個の場合を例示しているが、プロペラファンを２個以上搭載した構成にすることもできる。また、第１乃至第３の実施形態では、室外機１、５３、５９を連続的に並べて設置した場合を説明したが、本発明を適用した室外機は、単独で設置することもできる。本発明を適用した室外機を単独で設置した場合、周囲に建物の壁などがある場合でも、その建物の壁に近接させて設置しても熱交換効率を向上できるという効果、また、室外機を低騒音化できるという効果を得ることができる。
【００７１】
このように、本発明は、第１乃至第３の実施形態において示した構成の空気調和機の室外機に限らず、上吹き型の室外機であれば、様々な構成の室外機に適用できる。
【００７２】
【発明の効果】
本発明によれば、室外機を他の室外機や建物の壁などに近接させて設置した場合でも、室外機の熱交換効率を向上できる。
【図面の簡単な説明】
【図１】本発明を適用してなる空気調和機の室外機の、第１の実施形態の概略構成を示す横断面図である。
【図２】本発明を適用してなる空気調和機の室外機の、第１の実施形態の正面側から見た内部の概略構成を示す図である。
【図３】本発明を適用してなる空気調和機の室外機の、第１の実施形態の概略構成を示す正面図である。
【図４】本発明を適用してなる空気調和機の、第１の実施形態の概略構成を示す図である。
【図５】本発明を適用してなる第１の実施形態の空気調和機の室外機を複数並べて設置したときの空気の流れを説明する室外機の横断面図である。
【図６】従来の空気調和機の室外機の概略構成及び動作を示す横断面図である。
【図７】本発明を適用してなる空気調和機の室外機の、第２の実施形態の概略構成及び動作を示す横断面図である。
【図８】本発明を適用してなる空気調和機の室外機の、第３の実施形態の概略構成及び動作を示す横断面図である。
【符号の説明】
１　室外機
３　筐体
５　プロペラファン
９　熱交換器
９ａ、９ｂ　熱交換器の端部
９ｃ、９ｄ、９ｅ、９ｆ　熱交換器の屈曲部
１７ａ　正面側の側面
１７ｂ、１７ｄ　側方側の側面
１７ｃ　背面側の側面
２５ａ、２５ｂ　柱状部材
２６、２７　吸気口
２９　吸込口付きパネル
３３　着脱パネル
【図１】
2004125264.tif 000003
【図２】
2004125264.tif 000004
【図３】
2004125264.tif 000005
【図４】
2004125264.tif 000006
【図５】
2004125264.tif 000007
【図６】
2004125264.tif 000008
【図７】
2004125264.tif 000009
【図８】
2004125264.tif 000010